(57)【要約】【課題】予約録画機能を用いて時間的に連続した番組を録画する際に録画時初期設定に要求される時間の間、番組が録画されないことを防止する。【解決手段】本発明の映像記録再生装置１は、タイマーコンピュータ１１４に連続して２つの録画予約が設定されている場合に、その２つの録画予約を前の録画予約の開始から引き続く後の録画予約の終了までを１つの録画として取り扱うマイクロコンピュータ１１３を有する。【選択図】    図１
2004363647.tif 000002
【特許請求の範囲】
【請求項１】
映像信号および音声信号の少なくとも１つが入力される入力手段と（ビデオデコーダ・オーディオＡ／Ｄコンバータ）、
記録媒体に少なくとも映像信号および音声信号とその管理情報を記録する記録手段と（ＨＤＤ・ＤＶＤドライブ装置）、
記録媒体に記録された少なくとも映像信号および音声信号とその管理情報から映像および音声の少なくとも一方を再生する再生手段と（ビデオエンコーダ・オーディオＤ／Ａコンバータ）、
前記記録手段による記録媒体への記録の開始および記録の終了および記録条件を保持する予約情報保持手段と（タイマーコンピュータ）、
前記予約情報保持手段内に連続して２つの記録が設定されている場合に、その２つの記録を、先行する第１の記録と引き続く第２の記録を識別可能な識別符号とともに、上記第１の記録の開始から上記第２の記録の終了までを１つの記録として記録する記録手段制御手段と（マイクロコンピュータ）、
を備えることを特徴とする映像記録再生装置。
【請求項２】
空間伝送または信号線により外部から入力される映像信号および音声信号をデジタル信号に変換する信号入力部と（ＴＶチューナ・外部入力）、
前記入力から出力されたデジタル信号を所定形式の信号にエンコードするエンコード部と（ビデオデコーダ・オーディオＡ／Ｄコンバータ）、
前記エンコード部でエンコードされたデジタル信号およびその管理情報信号を記録媒体に記録可能な記録装置と（ＨＤＤ・ＤＶＤドライブ装置）、
上記記録媒体に記録されたデジタル信号およびその管理情報信号に基づいて、映像および音声を再生する再生装置と（ビデオエンコーダ・オーディオＤ／Ａコンバータ）、
前記記録装置による上記記録媒体への上記映像信号および音声信号の記録開始および記録終了および記録条件を含む記録予約情報を保持する記録予約情報保持装置と（タイマーコンピュータ）、
前記記録予約情報保持装置内に、互いに連続した記録終了時刻と記録開示時刻が設定された第１および第２の記録予約情報が保持されている場合に、上記第１の記録と上記第２の記録を識別可能な識別符号とともに上記第１の記録予約情報に基づく第１の記録の記録終了に引き続いて上記第２の記録予約情報に基づく第２の記録の記録を開始させる記録制御装置と（マイクロコンピュータ）、
を備えることを特徴とする映像記録再生装置。
【請求項３】
上記識別符号は、上記第１の記録の開始時刻から上記第２の記録の終了時刻までの期間連続して記録されたタイトルのうちの上記第２の記録の記録の開始時刻の位置を示すエントリポイントであることを特徴とした請求項１または２記載の映像記録再生装置。
【請求項４】
空間伝送または信号線により外部から入力される映像信号および音声信号をデジタル信号に変換する信号入力部と（ＴＶチューナ・外部入力）、
前記入力から出力されたデジタル信号を所定形式の信号にエンコードするエンコード部と（ビデオデコーダ・オーディオＡ／Ｄコンバータ）、
前記エンコード部でエンコードされたデジタル信号およびその管理情報信号を記録媒体に記録可能な記録装置と（ＨＤＤ・ＤＶＤドライブ装置）、
前記記録装置による上記管理情報信号および上記エンコードされたデジタル信号の上記記録媒体への記録を制御する記録媒体管理装置と（ディスクコントローラ）、
上記記録媒体に記録されたデジタル信号およびその管理情報信号に基づいて、映像および音声を再生する再生装置と（ビデオエンコーダ・オーディオＤ／Ａコンバータ）、
前記記録装置による上記記録媒体への上記映像信号および音声信号の記録開始および記録終了および記録条件を含む記録予約情報を保持する記録予約情報保持装置と（タイマーコンピュータ）、
前記記録予約情報保持装置内に、互いに連続した記録終了時刻と記録開示時刻が設定された第１および第２の記録予約情報が保持されている場合に、上記第１の記録予約情報に基づく第１の記録の記録終了に引き続いて上記第２の記録予約情報に基づく第２の記録の記録を開始させるとともに、前記記録媒体管理装置が上記記録媒体に記録する上記管理情報信号に、上記第１の記録の記録終了とそれに引き続く上記第２の記録の記録開始を示す情報信号を所定の情報記録部に記録する記録制御装置と（マイクロコンピュータ）、
を備えることを特徴とする映像記録再生装置。
【請求項５】
映像信号および音声信号の少なくとも１つが入力される入力手段と（ビデオデコーダ・オーディオＡ／Ｄコンバータ）、
記録媒体に少なくとも映像信号および音声信号とその管理情報を記録する記録手段と（ＨＤＤ・ＤＶＤドライブ装置）、
前記記録手段による上記管理情報および上記映像信号および音声信号の少なくとも１つの上記記録媒体への記録を制御する記録媒体管理手段と（ディスクコントローラ）、
記録媒体に記録された少なくとも映像信号および音声信号とその管理情報から映像および音声の少なくとも一方を再生する再生手段と（ビデオエンコーダ・オーディオＤ／Ａコンバータ）、
前記記録手段による記録媒体への記録の開始および記録の終了および記録条件を保持する予約情報保持手段と（タイマーコンピュータ）、
前記予約情報保持手段内に連続して２つの記録が設定されている場合に、その２つの記録を、先行する第１の記録の開始から引き続く第２の記録の終了までを１つの記録として記録するとともに、上記２つの記録のうちの上記第１の記録終了と上記第２の記録の記録開始を管理するための上記第１の記録と上記第２の記録を識別可能な識別符号を、前記記録媒体管理手段を通じて前記記録媒体の所定の領域に記録させる記録手段制御手段と（マイクロコンピュータ）、
を備えることを特徴とする映像記録再生装置。
【請求項６】
前記記録手段制御手段は、前記予約情報保持手段内に連続して２つの記録が設定されている場合に、その記録毎に、前記記録媒体の所定の領域にファイル管理情報を記録させることを特徴とする請求項５記載の映像記録再生装置。
【請求項７】
前記記録手段制御手段は、前記予約情報保持手段内に連続して２つの記録が設定されている場合に、その記録毎に、再生開始位置と再生終了位置の情報を含むファイル管理情報を前記記録媒体の所定の領域に記録させることを特徴とする請求項５記載の映像記録再生装置。
【請求項８】
前記記録手段制御手段は、前記予約情報保持手段内に連続して２つの記録が設定されている場合に、その記録毎に、必要区間のみを参照した仮想的な位置情報を含むファイル管理情報を前記記録媒体の所定の領域に記録させることを特徴とする請求項５記載の映像記録再生装置。
【請求項９】
前記第１の記録の予約情報の開始時刻から引き続く上記第２の記録の予約情報の期間記録された場合、記録終了後に上記第１の記録の予約区間を参照する第１のプレイリストと、上記第２の予約区間を参照する第２のプレイリストを作成することを特徴とした請求項５記載の映像記録再生装置。
【請求項１０】
映像信号および音声信号の少なくとも１つが入力される入力手段と（ビデオデコーダ・オーディオＡ／Ｄコンバータ）、
記録媒体に少なくとも映像信号および音声信号とその管理情報を記録する記録手段と（ＨＤＤ・ＤＶＤドライブ装置）、
記録媒体に記録された少なくとも映像信号および音声信号とその管理情報から映像および音声の少なくとも一方を再生する再生手段と（ビデオエンコーダ・オーディオＤ／Ａコンバータ）、
前記記録手段による記録媒体への記録の開始および記録の終了および記録条件を保持する予約情報保持手段と（タイマーコンピュータ）、
前記予約情報保持手段内に連続して２つの記録が設定されている場合に、その２つの記録を、同一の記録条件およびその動作を維持した状態で、先行する第１の記録と引き続く第２の記録を識別可能な識別符号とともに、上記第１の記録の記録終了に続けて上記第２の記録を開始させる記録手段制御手段と（マイクロコンピュータ）、
を備えることを特徴とする映像記録再生装置。
【請求項１１】
前記記録手段制御手段は、前記予約情報保持手段内に連続して２つの記録が設定されていることを検知した場合に、上記第１の記録の記録終了に続けて、前記記録手段を記録状態に維持したまま、上記第２の記録を開始させることを特徴とする請求項１０記載の映像記録再生装置における映像記録方法。
【請求項１２】
映像信号および音声信号の少なくとも１つが入力される入力手段と（ビデオデコーダ・オーディオＡ／Ｄコンバータ）、
記録媒体に少なくとも映像信号および音声信号とその管理情報を記録する記録手段と（ＨＤＤ・ＤＶＤドライブ装置）、
記録媒体に記録された少なくとも映像信号および音声信号とその管理情報から映像および音声の少なくとも一方を再生する再生手段と（ビデオエンコーダ・オーディオＤ／Ａコンバータ）、
前記記録手段による記録媒体への記録の開始および記録の終了および記録条件を保持する予約情報保持手段と（タイマーコンピュータ）、
前記予約情報保持手段内に連続して２つの記録が設定されている場合に、その２つの記録の記録条件を比較して、同一の記録条件である場合には、先行する第１の記録と引き続く第２の記録を識別可能な識別符号を所定の記録位置に記録するとともに上記第１の記録の記録終了に続けて上記第２の記録を開始させる記録手段制御手段と（マイクロコンピュータ）、
を備えたことを特徴とする映像記録再生装置。
【請求項１３】
映像信号および音声信号の少なくとも１つが入力される入力手段と（ビデオデコーダ・オーディオＡ／Ｄコンバータ）、
記録媒体に少なくとも映像信号および音声信号とその管理情報を記録する記録手段と（ＨＤＤ・ＤＶＤドライブ装置）、
記録媒体に記録された少なくとも映像信号および音声信号とその管理情報から映像および音声の少なくとも一方を再生する再生手段と（ビデオエンコーダ・オーディオＤ／Ａコンバータ）、
前記記録手段による記録媒体への記録の開始および記録の終了および記録条件を保持する予約情報保持手段と（タイマーコンピュータ）、
前記予約情報保持手段内に連続して２つの記録が設定されている場合に、その２つの記録の記録条件を比較して、記録条件のうちの前記入力手段への入力に関する条件（チャンネル）が異なる場合には、前の記録の記録終了時に、一旦記録を中断させたのち、上記入力手段への入力に関する条件が変化した時点で、先行する第１の記録と引き続く第２の記録を識別可能な識別符号を所定の記録位置に記録するとともに上記第２の記録を開始させる記録手段制御手段と（マイクロコンピュータ）、
を備えたことを特徴とする映像記録再生装置。
【請求項１４】
入力された映像信号および音声信号の少なくとも１つを、管理情報とともに、記録媒体に記録する際に、
記録媒体への記録の開始および記録の終了および記録条件を保持する予約情報保持手段により保持するとともに、
予約情報保持手段内に連続して２つの記録が設定されている場合に、その２つの記録の記録条件を比較して、記録条件のうちの前記入力手段への入力に関する条件（チャンネル）が異なる場合には、前の記録の記録終了時に、一旦記録を中断させたのち、上記入力手段への入力に関する条件が変化した時点で、先行する第１の記録と引き続く第２の記録を識別可能な識別符号を所定の記録位置に記録したのち上記第２の記録を開始させる映像記録方法。
【発明の詳細な説明】
【０００１】
【発明の属する技術分野】
この発明は、放送衛星や通信衛星から、あるいはＶＨＦ帯域またはＵＨＦ帯域の電波により放送される映像を記録し、また再生可能な映像記録再生装置、特にＤＶＤ−ＶＲ規格に準拠した映像記録再生装置に関する。
【０００２】
【従来の技術】
映像記録再生装置として、記録媒体に磁気テープを用いるＶＴＲ装置（Ｖｉｄｅｏ  Ｔａｐｅ  Ｒｅｃｏｒｄｅｒ）が広く普及している。また、近年、記録媒体として、ＤＶＤ−ＲＡＭ（Ｄｉｇｉｔａｌ  Ｖｅｒｓａｔｉｌｅ  Ｄｉｓｋ−Ｒａｎｄｏｍ  Ａｃｃｅｓｓ  ＭｅｍｏｒｙすなわちＤＶＤ規格の光ディスクであって、情報の記録および再生ならびに消去が随時可能で「ＲＡＭディスク」と呼ばれる光ディスク）やＤＶＤ−ＲＷ（Ｄｉｇｉｔａｌ  Ｖｅｒｓａｔｉｌｅ  Ｄｉｓｋ−ＲｅｗｒｉｔａｂｌｅすなわちＤＶＤ規格の光ディスクであって、情報の記録および再生ならびに消去が随時可能で「録再ディスク」と呼ばれる光ディスク）等を用いる映像記録再生装置も広く普及している。
【０００３】
多くの映像記録再生装置においては、タイマー録画機能およびタイマー回路等により構成された予約録画機能が設けられ、利用者が不在であっても、予め予約されたタイマーにより指定された時間に所定のチャンネルで放送される番組が録画可能である。従って、利用者は、任意の日時に録画された番組を視聴できる。
【０００４】
なお、タイマー予約情報記憶部を有し、タイマー実行開始時刻に放送信号状態、例えば多重音声等を識別して、変わっていない場合には、前番組が延長されていると判断して、放送信号状態が変わるまで、その後の番組に対する予約時間をずらすことが提案されている（例えば、特許文献１参照）。
【０００５】
【特許文献１】
特開平６−３６３８９号公報（図１、図２、請求項１、段落［００１２］〜［００１５］、要約）。
【０００６】
【発明が解決しようとする課題】
上述した映像記録再生装置においては、予約録画機能により録画が開始される際に、予め入力（設定）されている予約情報に基づいて、録画すべきチャンネルの切換や、画質および音質に代表される録画モードを設定するための録画時初期設定のために、予約開始時刻よりも所定時間前に電源がオンされる。すなわち、予約録画開始時刻よりも前に、録画時初期設定のための時間が必要となる。
【０００７】
このため、時間的に隣接した２つの録画予約が入力（設定）されている場合、先に設定された録画予約と後に設定された録画予約の間に、わずかながら番組を録画できない時間帯が発生する。
【０００８】
従って、上述の録画予約された２つの番組のそれぞれが、放送時間内の総ての時間を使った番組である場合、先に設定された録画予約の番組の終了時、または後に設定された録画予約の番組の開始時に、録画時初期設定のために要求される時間分だけ、番組が録画できない問題がある。
【０００９】
このことは、上述した特許文献１に開示された技術によっても解決されるものではなく、特許文献１においても同様の問題となることはいうまでもない。
【００１０】
この発明の目的は、予約録画機能を用いて時間的に連続した番組を録画する際に、録画時初期設定に要求される時間の間、番組が録画されないことを解消可能な映像記録再生装置を提供することである。
【００１１】
【課題を解決するための手段】
この発明は、上述問題点に基づきなされたもので、映像信号および音声信号の少なくとも１つが入力される入力手段と（ビデオデコーダ・オーディオＡ／Ｄコンバータ）、記録媒体に少なくとも映像信号および音声信号とその管理情報を記録する記録手段と（ＨＤＤ・ＤＶＤドライブ装置）、記録媒体に記録された少なくとも映像信号および音声信号とその管理情報から映像および音声の少なくとも一方を再生する再生手段と（ビデオエンコーダ・オーディオＤ／Ａコンバータ）、前記記録手段による記録媒体への記録の開始および記録の終了および記録条件を保持する予約情報保持手段と（タイマーコンピュータ）、前記予約情報保持手段内に連続して２つの記録が設定されている場合に、その２つの記録を、先行する第１の記録と引き続く第２の記録を識別可能な識別符号とともに、上記第１の記録の開始から上記第２の記録の終了までを１つの記録として記録する記録手段制御手段と（マイクロコンピュータ）、を備えることを特徴とする映像記録再生装置、を提供するものである。
【００１２】
【発明の実施の形態】
以下、図面を参照しながら本発明の実施形態である映像記録再生装置について詳細に説明する。
【００１３】
図１は、この発明の実施の形態が適用される映像記録再生装置の構成の一例を説明するブロック図である。
【００１４】
図１において、映像記録再生装置１は、所定チャンネルの放送信号を選択受信するテレビチューナ（ＴＶ−Ｔｕｎｅｒ）１００と映像信号や音声信号が入力可能な外部入力端子（Ｅｘｔ．ＩＮ）１０１とを有し、外部から入力された映像信号ならびに音声信号は、それぞれビデオデコーダ（Ｖｉｄｅｏ  Ｄｅｃｏｄｅｒ）１０２とオーディオＡ／Ｄコンバータ（Ａｕｄｉｏ  Ａ／Ｄ  Ｃｏｎｖｅｒｔｅｒ）１０３に入力される。
【００１５】
映像および音声の記録時には、ビデオデコーダ１０２ならびにオーディオＡ／Ｄコンバータ１０３により、それぞれデジタル信号に変換された映像信号と音声信号は、ＭＰＥＧエンコーダ１０４により、ＭＰＥＧ形式のデータにエンコード（圧縮）される。
【００１６】
圧縮（エンコード）された映像信号および音声信号は、ディスクコントローラ（Ｄｉｓｃ  Ｃｏｎｔｒｏｌｌｅｒ）１０５を経由して、ハードディスク装置（ＨＤＤ）１０６あるいは予めＤＶＤドライブ装置１０７に装填されているＤＶＤ−ＲＡＭディスクＭに保存される。
【００１７】
映像および音声の再生時には、ＨＤＤ１０６あるいはＤＶＤ−ＲＡＭディスクＭから読み出され、ＭＰＥＧデコーダ（ＭＰＥＧ  Ｄｅｃｏｄｅｒ）１０８に入力されたＭＰＥＧ信号（圧縮信号）は、ＭＰＥＧデコーダ１０８によりデコード（復元）され、ビデオエンコーダ（Ｖｉｄｅｏ  Ｅｎｃｄｏｅｒ）１０９およびオーディオＤ／Ａコンバータ（Ａｕｄｉｏ  Ｄ／Ａ  Ｃｏｎｖｅｒｔｅｒ）１１０を介してアナログ映像信号およびアナログ音声信号に変換される。
【００１８】
ビデオエンコーダ１０９およびオーディオＤ／Ａコンバータ１１０からのアナログの映像信号および音声信号は、それぞれビデオ出力（Ｖｉｄｅｏ  Ｏｕｔ）１１１とオーディオ出力（Ａｕｄｉｏ  Ｏｕｔ）１１２の各端子に出力される。
【００１９】
すなわち、ビデオ出力１１１およびオーディオ出力１１２の各端子に、例えば映像と音声を再生可能なテレビ受像器または映像表示装置（モニタ装置）およびオーディオアンプ等に接続することで、映像記録再生装置１から出力された映像および音声が再生される。
【００２０】
なお、ビデオデコーダ（Ｖｉｄｅｏ  Ｄｅｃｏｄｅｒ）１０２、ＭＰＥＧエンコーダ１０４、ディスクコントローラ１０５、ＭＰＥＧデコーダ１０８、ビデオエンコーダ１０９等の個々の回路またはユニットは、主制御部であるマイクロコンピュータ（Ｍｉｃｒｏ  Ｃｏｍｐｕｔｅｒ、以下マイコンと略称する）１１３により、制御される。
【００２１】
マイコン１１３には、タイマーコンピュータ（Ｖｉｄｅｏ  Ｔｉｍｅｒ  Ｃｏｍｐｕｔｅｒ）１１４が接続されている。タイマーコンピュータ１１４は、映像記録再生装置１の図示しない主電源回路がオフ状態であっても、予め設定されている時刻、またはその時刻の所定時間前の時刻に主電源をオンさせ、録画予約の開始時刻に先だって装置１の本体の各部を、録画可能状態にスタンバイさせる。これにより、予約時間が到来した時点で、予め設定されている録画条件で、予約されたチャンネルの放送（番組）すなわち映像および音声が録画される。
【００２２】
なお、タイマーコンピュータ１１４には、映像記録再生装置１の動作、例えば録画開始（ＲＥＣ）、画像再生（ＰＬＡＹ）、（録画および再生の）停止（ＳＴＯＰ）、スキップ（ＳＫＩＰ）、時計合わせ／予約時間（ＨＯＵＲ，ＭＩＮ，ＤＡＹ，ＭＯＮＴＨ）の入力、予約条件（ＲＡＴＥ，ＭＯＤＥ，ＨＤＤ，ＤＩＳＫ）の入力、リセット（ＣＯＵＮＴＥＲ  ＲＥＳＥＴ）等に対応する制御信号の入力、ならびに主電源のオン／オフ等を可能とする本体側操作パネル１１５が接続されている。
【００２３】
また、操作パネル１１５には、リモートコントローラ（以下リモコンと略称する）Ｒにより入力されるさまざまな制御信号を受け付けるリモコン受信部１１６が接続され、リモコンＲからの操作パネル１１５による制御信号の入力に準じた制御信号が、装置１本体から離れた位置からも、入力可能である。
【００２４】
図２は、図１に示した映像記録再生装置において利用される録画データを記録するためのＤＶＤ−ＶＲ（ＤＶＤ  Ｖｉｄｅｏ  Ｒｅｃｏｒｄｉｎｇ）規格を説明する概略図である。
【００２５】
ＤＶＤ−ＶＲ規格では、動画の実データが記録されるＶＲＯファイル（ＶＲ＿ＭＯＶＩＥ．ＶＲＯ）と、このデータの記録位置やタイトル情報などの管理情報を記録するＩＦＯファイル（ＶＲ＿ＭＡＮＧＲ．ＩＦＯ）というファイルによりデータが管理される（なお、静止画等を扱うファイルも存在するが、本提案では説明を省略する）。
【００２６】
ＶＲＯファイルには、動画と音声の情報が、ＭＰＥＧ２プログラムストリーム（ＭＰＥＧ２  Ｐｒｏｇｒａｍ  Ｓｔｒｅａｍ）方式で記録される。また、複数の録画（情報の記録）が実行された場合、後に録画されたデータは、直前に録画されたデータに続いて同一のファイルに記録される。
【００２７】
このように、同一ファイルに複数の録画データが記録されることから、個々の録画データを管理するために利用されるＩＦＯ（情報）ファイルが用意されている。ＤＶＤ−ＶＲ規格では、１回の録画で作成された動画データを、Ｍ＿ＶＯＢ（Ｍｏｖｉｅ  Ｖｉｄｅｏ  Ｏｂｊｅｃｔ）と呼び、各Ｍ＿ＶＯＢがファイルのどの位置に記録されているかが、ＩＦＯファイルに記述される。ＩＦＯファイルのこの領域は、Ｍ＿ＶＯＢＩ（Ｍｏｖｉｅ  Ｖｉｄｅｏ  Ｏｂｊｅｃｔ  Ｉｎｆｏｒｍａｔｉｏｎ）と呼称される。
【００２８】
図３は、図２に説明したＶＭＧ（管理情報を記録するファイル）におけるＭ＿ＶＯＢＩとＰＧＩ，ＣＩ，ＥＰＩの関係を示す概略図である。
【００２９】
図３に示されるように、物理的な録画データを示すＭ＿ＶＯＢに対し、ユーザに、「タイトル」という形で表示するための情報であるＰＧＩ（Ｐｒｏｇｒａｍ  Ｉｎｆｏｍａｔｉｏｎ）もＩＦＯファイルに記述されている。
【００３０】
ＰＧＩは、複数のＣＩ（Ｃｅｌｌ  Ｉｎｆｏｒｍａｔｉｏｎ）を含み、各ＣＩは、対応するＭ＿ＶＯＢＩ内の任意の再生開始位置と再生終了位置の情報を含む。すなわち、個々のＣＩは、例えば任意のＭ＿ＶＯＢＩ内の情報のうちのいくつかのフレームが削除されて不連続なファイルとなった場合等に、そのＭ＿ＶＯＢＩ内の情報を連続して再生させる場合に有益である。
【００３１】
また、ＣＩには、ＥＰＩ（Ｅｎｔｒｙ  Ｐｏｉｎｔ  Ｉｎｆｏｒｍａｔｉｏｎ）という情報が任意数、含まれる。ＥＰＩは、再生を開始する位置を示す情報であり、画像再生中に「スキップフォワード（Ｓｋｉｐ  Ｆｏｒｗａｒｄ）」キーによるスキップ制御信号が入力された場合に、現在の再生位置よりも後にある最初のＥＰＩから再生を続けることが定義づけられている（Ｍａｎｄａｔｏｒｙとされている）。
【００３２】
図４は、プレイリストの概念を説明する概略図である。
【００３３】
図３で説明したＰＧＩに含まれるＣＩは、物理的な録画データであるＭ＿ＶＯＢＩと１対１に対応している。
【００３４】
これに対し、図４に示すプレイリスト（ＵＤ＿ＰＧＣＩ）は、Ｍ＿ＶＯＢＩ内の必要区間のみを参照した仮想的なタイトルということができる。
【００３５】
すなわち、図４において、３つのＭ＿ＶＯＢ（Ｍ＿ＶＯＢ＃１〜Ｍ＿ＶＯＢ＃３）よりも紙面の下方に示される任意のＰＧＩに含まれるＣＩは、Ｍ＿ＶＯＢＩと１対１に対応しているが、ＵＤ＿ＰＧＣＩに含まれるＣＩは、Ｍ＿ＶＯＢＩの一部区間を参照する形態を取る。
【００３６】
例えば、図４において、Ｍ＿ＶＯＢ＃３は、ＣＩ＃２により参照される領域が全領域よりも少ない。しかしながら、ＤＶＤ−ＶＲ規格では、任意Ｍ＿ＶＯＢＩに対して対応するＣＩが参照しない領域の上限値が、４ＧＯＰ（ＧＯＰは、一例を示すと１５フレームである）以内と決められている。
【００３７】
このため、図３により前に説明したＶＭＧでは、例えば、単独の１時間番組が録画されたＭ＿ＶＯＢＩ＃１と１時間番組が２つ連続しているＭ＿ＶＯＢＩ＃２（２つのＭ＿ＶＯＢＩに対して３つのＣＩを対応させる）ことはできない。
【００３８】
これに対して、図４に示したＵＤ＿ＰＧＣＩ（プレイリスト）を作成することにより、１つめのＭ＿ＶＯＢＩ＃１を１個のセル（ＣＩ＃１）により参照し、２つめのＭ＿ＶＯＢＩ＃２を２個のセル（ＣＩ＃２とＣＩ＃３）により参照することができる。
【００３９】
このように、プレイリスト（ＵＤ＿ＰＧＣＩ）を用いることで、Ｍ＿ＶＯＢＩの一部のみを参照したＣＩをまとめることができる。
【００４０】
より詳細には、図５に示されるように、１つのＭ＿ＶＯＢＩに２つの予約録画（録画予約区間１と録画予約区間２）を録画し、区間１と区間２の境界位置で、セルＣＩ＃１側に、ＥＰＩ＃１を設ける（挿入する）。
【００４１】
このＥＰＩ＃１に対応させて、１つのプレイリスト（ＵＤ＿ＰＧＣＩ＃１）により参照される２つのセルＣＩ＃１とＣＩ＃２が定義される。
【００４２】
図５に示したプレイリスト（ＵＤ＿ＰＧＣＩ＃１）を作成することで、１つのＭ＿ＶＯＢＩ＃１が２つの予約録画を含み、ユーザから第２のセルＣＩ＃２（録画予約区間２）へのスキップが指示された場合としても、ＥＰＩ＃１から録画予約２により録画された映像から再生が可能となる。
【００４３】
すなわち、ユーザは、１時間番組が２つ連続しているＭ＿ＶＯＢＩのうちの１つめの予約録画に対応するＵＤ＿ＰＧＣＩと２つめの予約録画に対応するＵＤ＿ＰＧＣＩと、もともとのＭ＿ＶＯＢＩ（オリジナルタイトル）を得ることが可能である。換言すると、２つの予約情報にまたがって録画されたタイトルから、それぞれの予約区間のみを参照したプレイリストが作成されるので、第１の録画予約の結果と第２の録画予約の結果を独立に確認できる（分離して見ることができる）。
【００４４】
次に、図１ないし図５を用いて上に説明した映像記録再生装置の録画予約機能について説明する。
【００４５】
図６は、映像記録再生装置に接続されたテレビ受像器またはモニタ装置（表示装置）に表示され、例えば録画予約の設定に利用可能なＧＵＩ（Ｇｒａｐｈｉｃａｌ  Ｕｓｅｒ  Ｉｎｔｅｒｆａｃｅ）画面の表示の一例を示す概略図である。
【００４６】
予約録画を設定する上で入力する情報としては、例えばチャンネル番号、録画開始日時、録画終了日時、画質および音質等がある。
【００４７】
ＧＵＩにより設定された録画予約に基づいて、タイマーコンピュータ１１４により管理された録画予約の開始時刻あるいはその時刻の所定時間前の時刻に映像記録再生装置１の主電源がオンされ、録画開始に先だって、例えばチャンネルが切り換えられ、録画時の画質および音質が設定される。この状態で、録画開始の時間までの所定時間の間、待機状態が保持され、録画開始時刻が到来した時点で録画が開始され、録画終了時刻で録画が停止される。なお、引き続く録画予約がない場合には、所定時間経過後、タイマーコンピュータ１１４の制御により、主電源がオフされる。
【００４８】
図７は、隣接した録画予約が設定されている場合の映像記録再生装置の動作の一例を説明するタイミングチャートである。
【００４９】
例えば、ドラマ１のための録画予約１が１９：３０〜２１：００まで、ドラマ２のための録画予約２が２１：００〜２３：００まで設定されていた場合、実際の録画１の動作（一般的な記録再生装置の動作）では、録画予約１の録画は１９時３０分００秒に開始されるが、２０時５９分４５秒で停止される。すなわち、録画予約２が開始される２１時００分００秒までの１５秒間にチャンネルが切り換えられるとともに画質および音質が設定される。そして２１時ちょうどから、録画予約２の録画が開始される。
【００５０】
しかしながら、録画１の動作では、録画予約１の終わりの部分にも通常の映像が含まれている場合、最大で１５秒間であるが、映像および音声が欠落することになる。
【００５１】
これに対し、実際の録画２の動作を用いることにより、適用することにより、実質的に、映像および音声がとぎれることなく、実際には、１時間の予約録画であるが、あたかも２時間の１つの番組として録画することができる。この場合、図８により以下に説明するように、録画予約１と録画予約２の録画条件すなわち画質および音質が同一であり、しかもチャンネルも同一（切り換えなし）であることが好ましい。
【００５２】
換言すると、録画予約１の終了時刻で録画を停止せずにそのまま録画を続け、録画予約２の終了時刻で録画を停止することで、実質的に映像および音声がとぎれることが防止される。なお、この場合、録画予約２として予約されている予約録画は、タイマーコンピュータ１１４により消去される。
【００５３】
また、録画１と録画２との間に、図５を用いて前に説明した通り、ＥＰＩ＃１を挿入し、かつ／またはプレイリスト（ＵＤ＿ＰＧＣＩ＃１）を作成することにより、ユーザから録画２へのスキップが指示されたとしても、録画予約２の画像からの再生も可能となる。
【００５４】
一方、録画予約１と録画予約２の録画条件すなわち画質および音質が同一であるならば、録画予約１と録画予約２で予約されているチャンネルが異なる場合であっても、実際の録画３の動作で説明するように、録画予約１に続いて録画予約２が実行される際にチャンネルを切り換えることも可能である。すなわち、２つの連続した予約録画に基づいて録画予約１の録画と録画予約２の録画の間に先の録画予約を停止しなければならない要件は、画質および音質が異なる場合であるから、録画予約１の録画と録画予約２の録画との条件の違いがチャンネルのみである場合には、チャンネルを切り換えた際の画像および音声の乱れを許容すれば連続した録画が可能である。
【００５５】
なお、図７の実際の録画３に示されるように、録画予約１の録画と録画予約２の録画との間でチャンネルを切り換える際に映像記録再生装置の録画動作を一時的に停止する（ポーズをかける）ことより、映像および音声が乱れる時間を最小にできる。
【００５６】
図８は、図７を用いて説明した実際の録画２および実際の録画３を実行するための動作の一例を説明するフローチャートである。
【００５７】
図８に示されるように、映像記録再生装置では、録画予約１の予約情報に従い、録画が開始される（Ｓ１）。
【００５８】
その後、録画予約１の終了時刻の所定時間、例えば１５秒前であるか否かがチェックされ（Ｓ２）、終了時刻の１５秒前であることが検知された時点（Ｓ２−Ｙ）で、次の予約情報が時間的に隣接しているかどうかが確認される（Ｓ３）。
【００５９】
ステップＳ３において、隣接した予約が設定されていない場合（Ｓ３−Ｎ）、録画予約１の終了時刻であるか否かがチェックされ（Ｓ４）、終了時刻が到来した時点（Ｓ４−Ｙ）で、録画が停止される（Ｓ５）。
【００６０】
これに対し、ステップＳ３において、隣接した予約が設定されている場合（Ｓ３−Ｙ）、録画条件が同じかがチェックされる（Ｓ６）。
【００６１】
ステップＳ６において、録画予約１の録画条件と録画予約２の録画条件とが異なることが検知された場合（Ｓ６−Ｎ）、録画予約１の終了時刻が到来した時点で録画が停止される（Ｓ４，Ｓ４−Ｙ，Ｓ５）。
【００６２】
ステップＳ６において、隣接して予約されている録画予約の録画条件が同じであることがチェックされた場合（Ｓ６−Ｙ）、録画予約２の録画が録画予約１の録画と同じチャンネルの録画か否かが確認される（Ｓ７）。
【００６３】
ステップＳ７において、録画予約２の録画と録画予約１の録画が同じチャンネルであることが検知された場合（Ｓ７−Ｙ）、録画予約１の終了時刻が録画予約２の終了時刻に延長され（Ｓ８）、録画予約２の情報が消去される（Ｓ９）。
【００６４】
一方、ステップＳ７において、録画予約２の録画チャンネルと録画予約１の録画チャンネルが異なることが検知された場合（Ｓ７−Ｎ）、録画予約１の終了時刻が録画予約２の終了時刻に延長されるとともに、チャンネルが切り換えられる（Ｓ１０）。この場合、例えば録画予約１の録画の終了時刻に、録画が一旦停止され（ポーズされ）、チャンネルが切り換えられたことが検知された時点で一端停止（ポーズ）が解除されてもよい。なお、録画予約２の情報は、ステップＳ９により消去される。
【００６５】
このように、少なくとも録画条件が等しく、時間的に隣接して予約された第１の録画予約（録画予約１）と第２の録画予約（録画予約２）の２つの予約録画がセットされている場合、録画予約１の終了時刻を録画予約２の終了時刻まで延長することで、すなわち録画予約１の終了時刻を録画予約２の終了時刻に書き換えることにより、録画予約１の録画の終わりの部分の映像および音声を途切れさせることなく、２つの番組を連続して、録画することができる。
【００６６】
なお、ステップＳ１０においては、録画予約１の録画に引き続いて録画予約２の録画を実行し、録画予約１の終了時刻にチャンネルを切り換える例を説明したが、録画予約１の終了時刻で録画を停止してもよいことはいうまでもない。
【００６７】
図９は、図８を用いて説明した録画予約を延長した際の録画終了処理の動作の一例を説明するフローチャートである。
【００６８】
図８に示した録画予約延長処理により、隣接する２つの録画予約の録画すなわち録画予約１の録画と録画予約２の録画は、実質的に１つの録画として、ＨＤＤＤＶＤ−ＲＡＭディスクＭに記録される。この場合、録画予約２に基づく録画がどこから録画されているかを容易に判別可能とするために、図５により前に説明したように、録画予約延長処理が実行された場合（Ｓ１０１−Ｙ）、録画予約２の録画開始時刻の位置にＥＰＩ（エントリポイント）を挿入する（Ｓ１０２）。
【００６９】
続いて、録画予約１の録画区間に関するプレイリスト（ＵＤ＿ＰＧＣＩ＃１）が作成され（Ｓ１０３）、さらに録画予約２の録画区間に関するプレイリスト（ＵＤ＿ＰＧＣＩ＃１）が作成される（Ｓ１０４）。
【００７０】
すなわち、録画予約延長処理が実行された場合、録画予約１の録画の終了時刻と録画予約２の録画の開始時刻との間に、図５を用いて前に説明したＥＰＩを挿入し、ＥＰＩの前段の録画とＥＰＩの後段の録画予約のそれぞれに、プレイリスト（ＵＤ＿ＰＧＣＩ＃１）を作成することで、ユーザから録画予約２へのスキップが指示された場合としても、録画予約２により録画された映像から再生が可能となる。
【００７１】
なお、この発明は、上述した実施の形態に限定されるものではなく、実施に際しては、要旨を逸脱しない範囲で、任意に変形または変更可能である。例えば、上述した実施の形態では、記録の対象を映像および音声とした例を説明したが、記録の対象を音声に限るものであっても同等の作用および効果が得られることはいうまでもない。また、上述した実施の形態では、記録媒体を光ディスク（ＲＡＭディスク）やハードディスクとする映像記録再生装置を例に説明したが、例えば、従来のＶＴＲ（Ｖｉｄｅｏ  Ｔａｐｅ  Ｒｅｃｏｒｄｅｒ）においても、同等の特徴をもつ限り同等の作用・効果が得られることはいうまでもない。
【００７２】
【発明の効果】
以上説明したようにこの発明によれば、予約録画機能を用いて時間的に連続した番組を録画する際に、録画時初期設定に要求される時間の間、番組が録画されないことが防止される。
【００７３】
また、本発明では、ユーザが設定した複数の録画予約の予約情報が、隣接した時間であり、かつ同じチャンネルであることなどを映像記録再生装置が判定したら、前半の録画を停止せずに次予約終了時刻まで継続して録画を実行することにより、隣接した録画予約の途中で録画されない区間が発生することを防ぐことができる。
【図面の簡単な説明】
【図１】この発明の実施の形態が適用される映像記録再生装置の構成の一例を説明するブロック図。
【図２】図１に示した映像記録再生装置において利用される録画データを記録するためのＤＶＤ−ＶＲ規格を説明する概略図。
【図３】図２に説明した管理情報を記録するファイル（ＶＭＧ）におけるＭ＿ＶＯＢＩとＰＧＩ，ＣＩ，ＥＰＩの関係を示す概略図。
【図４】この発明の映像記録再生装置におけるプレイリストの概念を説明する概略図。
【図５】図４に示したプレイリストを詳細に説明する概念図。
【図６】図１ないし図５を用いて説明した映像記録再生装置に利用可能なＧＵＩ画面の表示の一例を示す概略図。
【図７】隣接した録画予約が設定されている場合の映像記録再生装置の動作の一例を説明するタイミングチャート。
【図８】図７を用いて説明した実際の録画を実行するための動作の一例を説明するフローチャート。
【図９】図８を用いて説明した録画予約を延長した際の録画終了処理の動作の一例を説明するフローチャート。
【符号の説明】
１…映像記録再生装置、１００…テレビチューナ（信号入力部）、１０１…外部入力端子（信号入力部）、１０２…ビデオデコーダ（入力手段、エンコード部）、１０３…オーディオＡ／Ｄコンバータ（入力手段、エンコード部）、１０４…ＭＰＥＧエンコーダ、１０５…ディスクコントローラ（記録媒体管理装置）、１０６…ハードディスク装置（記録手段、記録装置）、１０７…ＤＶＤドライブ装置（記録手段、記録装置）、１０８…ＭＰＥＧデコーダ、１０９…ビデオエンコーダ（再生手段、再生装置）、１１０…オーディオＤ／Ａコンバータ（再生手段、再生装置）、１１１…ビデオ出力、１１２…オーディオ出力、１１３…マイクロコンピュータ（記録手段制御手段）、１１４…タイマーコンピュータ（予約情報保持手段）。
【図１】
2004363647.tif 000003
【図２】
2004363647.tif 000004
【図３】
2004363647.tif 000005
【図４】
2004363647.tif 000006
【図５】
2004363647.tif 000007
【図６】
2004363647.tif 000008
【図７】
2004363647.tif 000009
【図８】
2004363647.tif 000010
【図９】
2004363647.tif 000011